(57)【要約】【課題】ランドリー機器の設置性の向上を図れるランドリー機器用の架台、架台の設置方法および架台へのランドリー機器の設置方法を提供すること。【解決手段】架台１０は、本体部１２と第１位置決め部２７と第２位置決め部８０とを含む。本体部１２は、ランドリー機器１１の脚９５が上側Ｚ１から載せられる平坦な載置面２５を有し、床面Ｓにセットされる。第１位置決め部２７は、載置面２５に設けられ、前側Ｘ１を臨む入口３２と後側Ｘ２へ向けて入口３２から窪む収容空間３３とを有し、設置のために載置面２５上を滑らされる脚９５を入口３２から収容空間３３内に受け入れて位置決めする。第２位置決め部８０は、載置面２５において第１位置決め部２７から前側Ｘ１へ離れた位置に取り付けられ、ランドリー機器１１において第１位置決め部２７によって位置決めされる脚９５以外の脚９５を位置決めする。【選択図】図５
2015217118.tif 000002
【特許請求の範囲】
【請求項１】
ランドリー機器の脚が上側から載せられる平坦な載置面を有し、床面にセットされる本体部と、
前記載置面に設けられ、前記載置面に沿う所定方向における一方側を臨む入口と、前記所定方向において前記一方側とは反対の他方側へ向けて前記入口から窪む収容空間とを有し、設置のために前記載置面上を滑らされるランドリー機器の脚を前記入口から前記収容空間内に受け入れて位置決めする第１位置決め部と、
前記載置面において前記第１位置決め部から前記一方側へ離れた位置に取り付けられ、ランドリー機器において前記第１位置決め部によって位置決めされる脚以外の脚を位置決めする第２位置決め部と、
を含むことを特徴とするランドリー機器用の架台。
【請求項２】
前記載置面から上側へ突出して前記所定方向に延び、前記載置面上を滑らされるランドリー機器の脚が前記載置面から落下することを防止する落下防止部材を含むことを特徴とする請求項１記載のランドリー機器用の架台。
【請求項３】
前記第１位置決め部によって位置決めされたランドリー機器の脚に非接触の状態で、前記第１位置決め部の一部として前記収容空間を上側から覆うカバー部を含むことを特徴とする請求項１または２記載のランドリー機器用の架台。
【請求項４】
前記本体部に設けられ、床面に接近できるように高さ調整可能であり、高さ調整後に床面に対して下側へ引き寄せられるように固定されるアンカー部材と、
前記本体部の底面から下側に突出して床面に上側から当接するように設けられ、前記載置面の水平度を調整するために床面への突出量を調整可能であり、前記アンカー部材が床面に固定された状態において床面に対して突っ張る調整脚と、
を含むことを特徴とする請求項１〜３のいずれかに記載のランドリー機器用の架台。
【請求項５】
前記本体部は、前記本体部を上下に貫通する内部空間を有する中空体であり、
前記アンカー部材は、前記内部空間に配置されることを特徴とする請求項４記載のランドリー機器用の架台。
【請求項６】
請求項４または５記載のランドリー機器用の架台の設置方法であって、
前記架台を床面にセットするステップと、
前記調整脚の床面への突出量を調整することによって前記載置面の水平度を調整するステップと、
前記アンカー部材を高さ調整して床面に固定するステップと、
前記調整脚を床面に対して突っ張らせるステップと、
を含むことを特徴とするランドリー機器用の架台の設置方法。
【請求項７】
請求項１〜５のいずれかに記載のランドリー機器用の架台へのランドリー機器の設置方法であって、
ランドリー機器の脚を前記載置面に上側から載せるステップと、
ランドリー機器の脚を、前記載置面上で滑らせて前記入口から前記収容空間内に挿入することで、前記第１位置決め部によって位置決めするステップと、
前記第２位置決め部を前記載置面に取り付けて、ランドリー機器において前記第１位置決め部によって位置決めされる脚以外の脚を前記第２位置決め部によって位置決めするステップと、
を含むことを特徴とするランドリー機器用の架台へのランドリー機器の設置方法。
【発明の詳細な説明】
【技術分野】
【０００１】
この発明は、ランドリー機器用の架台、架台の設置方法および架台へのランドリー機器の設置方法に関する。
【背景技術】
【０００２】
洗濯機および乾燥機といったランドリー機器には、その側面に洗濯物の取出口が設けられたものがある。この構成の場合、使用者にとって取出口が低くなり、使用者は、取出口での洗濯物の出し入れ作業のために、腰をかがめなければならないことが想定される。そこで、使用者の利便性を高めるために、床面に架台をセットして、この架台にランドリー機器を載置することで、取出口の高さを上げることがある。
【０００３】
図１では、従来の架台１が図示される。架台１は、たとえば、平面視で矩形をなすフレーム状に形成され、上下方向に所定の厚みを有する。架台１の上面は、ランドリー機器の脚が載置される載置面２である。
【０００４】
載置面２の四隅のそれぞれには、平面視でＬ字状をなすように載置面２から上側へ突出する一対のリブ３が設けられる。一対のリブ３は、平面視において全体で略矩形をなすように対向配置され、載置面２の四隅のそれぞれでは、一対のリブ３の間に収容空間４が区画される。収容空間４は、下側へ窪む凹状に形成され、上側へ開放される。
【０００５】
架台１の底面５の四隅のそれぞれには、調整脚６が１つずつ設けられる。各調整脚６は、底面５から下側に突出して床面に上側から当接する。各調整脚６の床面への突出量を調整することによって、載置面２の水平度を調整することができる。
【０００６】
架台１を床面にセットしてから載置面２の水平度を調整した後に、載置面２の四隅の収容空間４のそれぞれに、ランドリー機器の脚が１つずつ上側から差し込まれることで、ランドリー機器が架台１に設置される。
【発明の概要】
【発明が解決しようとする課題】
【０００７】
従来の架台１にランドリー機器を設置する場合、作業者は、ランドリー機器を持ち上げたままの状態で、ランドリー機器の各脚が各収容空間４と平面視で一致するようにランドリー機器をピンポイントで水平方向に位置決めしてから、ランドリー機器を下げて各脚を各収容空間４に上側から差し込まねばならない。この作業は、たとえば業務用のように大型で重いランドリー機器の場合には、作業者に対して多大な負担を強いる。
【０００８】
また、架台１にランドリー機器を設置すると、ランドリー機器の重心位置が高くなる。これにより、ランドリー機器の運転中における振動が増大する虞がある。そして、架台１は、調整脚６において床面に接するだけであって、床面に固定された訳でないので、ランドリー機器の運転中に、架台１自体が移動したり、がたついたりすることで、振動がさらに増大する虞がある。
【０００９】
また、このような振動が過度に生じたり、人がランドリー機器に寄りかかったりすると、ランドリー機器の脚が架台１の収容空間４から外れることによって、ランドリー機器が架台１から落下したり、架台１上で転倒したりする虞もある。
【００１０】
この発明は、かかる背景のもとでなされたものであり、ランドリー機器の設置性の向上を図れるランドリー機器用の架台、架台の設置方法および架台へのランドリー機器の設置方法を提供することを目的とする。
【００１１】
また、この発明は、ランドリー機器の運転中における振動を低減し、ランドリー機器の落下や転倒を防止できるランドリー機器用の架台、架台の設置方法および架台へのランドリー機器の設置方法を提供することも目的とする。
【課題を解決するための手段】
【００１２】
本発明は、ランドリー機器の脚が上側から載せられる平坦な載置面を有し、床面にセットされる本体部と、前記載置面に設けられ、前記載置面に沿う所定方向における一方側を臨む入口と、前記所定方向において前記一方側とは反対の他方側へ向けて前記入口から窪む収容空間とを有し、設置のために前記載置面上を滑らされるランドリー機器の脚を前記入口から前記収容空間内に受け入れて位置決めする第１位置決め部と、前記載置面において前記第１位置決め部から前記一方側へ離れた位置に取り付けられ、ランドリー機器において前記第１位置決め部によって位置決めされる脚以外の脚を位置決めする第２位置決め部と、を含むことを特徴とするランドリー機器用の架台である。
【００１３】
また、本発明は、前記載置面から上側へ突出して前記所定方向に延び、前記載置面上を滑らされるランドリー機器の脚が前記載置面から落下することを防止する落下防止部材を含むことを特徴とする。
【００１４】
また、本発明は、前記第１位置決め部によって位置決めされたランドリー機器の脚に非接触の状態で、前記第１位置決め部の一部として前記収容空間を上側から覆うカバー部を含むことを特徴とする。
【００１５】
また、本発明は、前記本体部に設けられ、床面に接近できるように高さ調整可能であり、高さ調整後に床面に対して下側へ引き寄せられるように固定されるアンカー部材と、前記本体部の底面から下側に突出して床面に上側から当接するように設けられ、前記載置面の水平度を調整するために床面への突出量を調整可能であり、前記アンカー部材が床面に固定された状態において床面に対して突っ張る調整脚と、を含むことを特徴とする。
【００１６】
また、本発明は、前記本体部は、前記本体部を上下に貫通する内部空間を有する中空体であり、前記アンカー部材は、前記内部空間に配置されることを特徴とする。
【００１７】
また、本発明は、以上のランドリー機器用の架台の設置方法であって、前記架台を床面にセットするステップと、前記調整脚の床面への突出量を調整することによって前記載置面の水平度を調整するステップと、前記アンカー部材を高さ調整して床面に固定するステップと、前記調整脚を床面に対して突っ張らせるステップと、を含むことを特徴とするランドリー機器用の架台の設置方法である。
【００１８】
また、本発明は、以上のランドリー機器用の架台へのランドリー機器の設置方法であって、ランドリー機器の脚を前記載置面に上側から載せるステップと、ランドリー機器の脚を、前記載置面上で滑らせて前記入口から前記収容空間内に挿入することで、前記第１位置決め部によって位置決めするステップと、前記第２位置決め部を前記載置面に取り付けて、ランドリー機器において前記第１位置決め部によって位置決めされる脚以外の脚を前記第２位置決め部によって位置決めするステップと、を含むことを特徴とするランドリー機器用の架台へのランドリー機器の設置方法である。
【発明の効果】
【００１９】
本発明によれば、ランドリー機器用の架台では、床面にセットされる本体部における平坦な載置面に設けられた第１位置決め部が、ランドリー機器の脚を受け入れる収容空間を有する。収容空間では、入口が、載置面に沿う所定方向における一方側を臨む。また、載置面では、第１位置決め部から一方側へ離れた位置に第２位置決め部が取り付けられる。
この架台にランドリー機器を設置する際、まず、ランドリー機器の脚を載置面における適当な位置に上側から載せる。そして、脚を、載置面上において一方側とは反対の他方側へ向けて滑らせて、入口から収容空間に挿入する。収容空間は、他方側へ向けて入口から窪んだ形状であることから、収容空間に受け入れられた脚は、他方側へそれ以上移動できないので、第１位置決め部によって位置決めされる。
次いで、第２位置決め部を取り付ける。すると、ランドリー機器において第１位置決め部によって位置決めされる脚以外の脚が、第２位置決め部によって位置決めされる。これにより、ランドリー機器全体が架台に対して相対移動不能に設置される。
つまり、設置を行う作業者は、ランドリー機器を持ち上げた状態を維持しなくても、ランドリー機器の脚を載置面の適当な位置に一旦載せてから載置面上で滑らせて第１位置決め部によって位置決めし、その後に第２位置決め部を載置面に取り付けて他の脚を位置決めすることで、少ない負担で、ランドリー機器を架台に設置することができる。
その結果、ランドリー機器の設置性の向上を図れる。
【００２０】
また、本発明によれば、載置面から上側へ突出して所定方向に延びる落下防止部材が、載置面上を滑らされるランドリー機器の脚が載置面から落下することを防止するので、架台への設置中におけるランドリー機器の落下を防止できる。
【００２１】
また、本発明によれば、第１位置決め部の一部であるカバー部が収容空間を上側から覆うことから、収容空間内のランドリー機器の脚が収容空間から上側へ外れることを防止できるので、脚が収容空間から上側へ外れることに起因するランドリー機器の落下や転倒を防止できる。また、カバー部は、第１位置決め部によって位置決めされたランドリー機器の脚に非接触の状態にあるので、ランドリー機器の運転中に脚がカバー部に振動しながら接触することによって疲労破損することを防止できるし、脚の振動がカバー部を介して架台に伝達されることも防止できる。
【００２２】
また、本発明によれば、床面が水平でない場合には、架台の本体部の底面に設けられた調整脚の床面への突出量を調整することで、載置面の水平度を調整できるので、載置面に載せられるランドリー機器の傾きを防止できる。そして、本体部に設けられたアンカー部材が、床面に接近するように高さ調整されてから床面に固定されるので、架台全体が床面に対して相対移動不能に固定される。これにより、固定された架台には、ランドリー機器の振動が伝達されにくくなるし、固定された架台がランドリー機器の振動自体を減衰できる。
ここで、床面に固定されたアンカー部材が下側へ引き寄せられた状態にあるので、架台には下向きのテンションが作用する。一方、アンカー部材が床面に固定された状態において、調整脚が床面に対して突っ張るので、架台には、床面からの反力に応じた上向きのテンションも作用する。これらの下向きのテンションおよび上向きのテンションは、架台からランドリー機器に伝達される振動を減衰させる。
以上により、ランドリー機器の運転中におけるランドリー機器および架台の全体での振動を低減できる。
【００２３】
また、本発明によれば、アンカー部材は、本体部の内部空間に配置されることから、本体部の外に出っ張らないので、架台の外形をコンパクトにできるとともに、外観に自由度を持たせることもできる。
【００２４】
また、本発明によれば、架台の設置方法として、まず、架台を床面にセットしてから、調整脚の床面への突出量を調整することによって載置面の水平度を調整する。これにより、その後に載置面に載せられるランドリー機器の傾きを防止できる。
次いで、アンカー部材を高さ調整して床面に固定することにより、架台全体が床面に対して相対移動不能に固定される。これにより、固定された架台には、架台に設置されるランドリー機器の振動が伝達されにくくなるし、固定された架台がランドリー機器の振動自体を減衰できる。
最後に、調整脚を床面に対して突っ張らせると、架台の設置が完了する。
設置後の架台では、床面に固定されたアンカー部材が下側へ引き寄せられた状態にあるので、架台には下向きのテンションが作用する。一方、アンカー部材が床面に固定された状態において、調整脚が床面に対して突っ張るので、架台には、床面からの反力に応じた上向きのテンションも作用する。これらの下向きのテンションおよび上向きのテンションは、架台からランドリー機器に伝達される振動を減衰させる。
以上により、ランドリー機器の運転中におけるランドリー機器および架台の全体での振動を低減できる。
【００２５】
また、本発明によれば、架台へのランドリー機器の設置方法として、まず、ランドリー機器の脚を架台の載置面における適当な位置に上側から載せる。そして、脚を、載置面上で滑らせて入口から収容空間内に挿入することで、第１位置決め部によって位置決めする。最後に、第２位置決め部を載置面に取り付けて、ランドリー機器において第１位置決め部に位置決めされる脚以外の脚を第２位置決め部によって位置決めすると、ランドリー機器の設置が完了する。
つまり、設置を行う作業者は、ランドリー機器を持ち上げた状態を維持しなくても、ランドリー機器の脚を載置面の適当な位置に一旦載せてから載置面上で滑らせて第１位置決め部によって位置決めし、その後に第２位置決め部を載置面に取り付けて他の脚を位置決めすることで、少ない負担で、ランドリー機器を架台に設置することができる。
その結果、ランドリー機器の設置性の向上を図れる。
【図面の簡単な説明】
【００２６】
【図１】図１は、従来の架台１の斜視図である。
【図２】図２は、この発明の実施形態に係る架台１０の斜視図である。
【図３】図３は、実際には隠れて見えない部分を破線で示した架台１０の斜視図である。
【図４】図４（ａ）は、架台１０の平面図であり、図４（ｂ）は、図４（ａ）のＢ−Ｂ矢視断面図であり、図４（ｃ）は、図４（ｂ）において破線の円で囲んだ部分の拡大図である。
【図５】図５は、ランドリー機器１１の設置を説明するための架台１０の斜視図である。
【図６】図６（ａ）は、架台１０および架台１０に設置されたランドリー機器１１の斜視図であり、図６（ｂ）は、図６（ａ）において破線の円で囲んだ部分の拡大図であり、図６（ｃ）は、図６（ａ）において１点鎖線の円で囲んだ部分を拡大して別の方向から見た図である。
【発明を実施するための形態】
【００２７】
以下には、図２〜図６を参照して、この発明の実施形態について具体的に説明する。
【００２８】
図２は、この発明の実施形態に係る架台１０の斜視図である。
図２では、左上側から見たときの架台１０が図示される。以下では、架台１０の前後方向を前後方向Ｘと称し、前後方向Ｘのうち、前側を前側Ｘ１と称し、後側を後側Ｘ２と称する。そして、前側Ｘ１から見たときを基準として架台１０の左右方向Ｙを規定する。左右方向Ｙのうち、左側を左側Ｙ１と称し、右側を右側Ｙ２と称する。また、架台１０の上下方向Ｚのうち、上側を上側Ｚ１と称し、下側を下側Ｚ２と称する。以下では、前後方向Ｘ、左右方向Ｙおよび上下方向Ｚを用いて説明する。
【００２９】
図２を参照して、架台１０は、洗濯機や乾燥機や洗濯乾燥機などのランドリー機器１１用の架台であって、架台１０にランドリー機器１１（図２では図示せず）が上側Ｚ１から載せられる。なお、ランドリー機器１１は、家庭用の小型の洗濯機でもよいし、コインランドリーで用いる業務用の大型の洗濯機でもよいが、いずれにせよ、その前面に、洗濯物の取出口１１Ａが設けられる（後述する図６（ａ）参照）。
【００３０】
架台１０は、上側Ｚ１から見た平面視において矩形の額縁形状をなし、上下方向Ｚに所定の厚みを有する。なお、上下方向Ｚは、架台１０の高さ方向である。架台１０は、本体部１２と、本体部１２に設けられるアンカー部材１３および調整脚１４とを含む。架台１０の構成部品は、全て金属製である。
【００３１】
本体部１２は、架台１０の大部分をなし、架台１０の使用時には、床面Ｓにセットされる。なお、ここでの床面Ｓには、屋内の床面だけでなく屋外の地面も含まれる。本体部１２は、架台１０と同様に、平面視で矩形の額縁形状をなし、上下方向Ｚに所定の厚みを有する。そのため、本体部１２は、本体部１２を上下に貫通する内部空間１２Ａを有する中空体である。本体部１２は、鋼板を折り曲げ加工することによって形成される。なお、本体部１２は、折り曲げ加工された複数の部品が溶接などで一体化されることで構成されてもよい。
【００３２】
本体部１２は、上下方向Ｚに沿って延びる前壁１５、後壁１６、左壁１７および右壁１８を一体的に含む。
【００３３】
前壁１５および後壁１６は、前後方向Ｘから見て左右方向Ｙに長手の長方形をなし、前後方向Ｘに薄い板状であり、互いに平行になった状態で、前後方向Ｘに間隔を隔てて対向配置される。後壁１６には、後壁１６を前後方向Ｘに貫通する円形状の挿通孔１６Ａが形成される。挿通孔１６Ａには、架台１０に設置されたランドリー機器１１の配線やホースなど（図示せず）が通される。
【００３４】
左壁１７および右壁１８は、左右方向Ｙから見て前後方向Ｘに長手の長方形をなし、左右方向Ｙに薄い板状であり、互いに平行になった状態で、左右方向Ｙに間隔を隔てて対向配置される。左壁１７は、前壁１５および後壁１６の左端縁間に架設され、右壁１８は、前壁１５および後壁１６の右端縁間に架設される。
【００３５】
本体部１２は、本体部１２における上側Ｚ１の構成として、前側上壁１９と、後側上壁２０と、左側上壁２１と、右側上壁２２とを一体的に含む。
【００３６】
前側上壁１９は、上下方向Ｚに薄く左右方向Ｙに細長い帯状であり、前壁１５の上端縁の左右方向Ｙにおける全域から略直角に折れ曲がって後側Ｘ２へ延びる。後側上壁２０は、上下方向Ｚに薄く左右方向Ｙに細長い帯状であり、後壁１６の上端縁の左右方向Ｙにおける全域から略直角に折れ曲がって前側Ｘ１へ延びる。
【００３７】
前側上壁１９の後端縁には、前側フランジ部２３が一体的に設けられる。前側フランジ部２３は、前後方向Ｘに薄く左右方向Ｙに細長い帯状であって、前側上壁１９の後端縁の左右方向Ｙにおける全域から略直角に折れ曲がって下側Ｚ２へ延びる。後側上壁２０の前端縁には、後側フランジ部２４が一体的に設けられる。後側フランジ部２４は、前後方向Ｘに薄く左右方向Ｙに細長い帯状であって、後側上壁２０の前端縁の左右方向Ｙにおける全域から略直角に折れ曲がって下側Ｚ２へ延びる。前側フランジ部２３および後側フランジ部２４のそれぞれは、左壁１７および右壁１８間に架設される。これにより、本体部１２の補強が図られる。
【００３８】
左側上壁２１は、上下方向Ｚに薄く前後方向Ｘに細長い帯状であり、左壁１７の上端縁において前後方向Ｘにおける両端部の間の領域から略直角に折れ曲がって右側Ｙ２へ延びる。右側上壁２２は、上下方向Ｚに薄く前後方向Ｘに細長い帯状であり、右壁１８の上端縁において前後方向Ｘにおける両端部の間の領域から略直角に折れ曲がって左側Ｙ１へ延びる。
【００３９】
左側上壁２１は、前側上壁１９および後側上壁２０の左端部間に架設され、右側上壁２２は、前側上壁１９および後側上壁２０の右端部間に架設される。左側上壁２１および右側上壁２２のそれぞれの上面は、前側上壁１９および後側上壁２０のそれぞれの上面に対して、面一の状態で連続する。前側上壁１９、後側上壁２０、左側上壁２１および右側上壁２２のそれぞれの上面は、一体となって額縁状の載置面２５をなす。
【００４０】
載置面２５は、本体部１２の上面であり、前後方向Ｘおよび左右方向Ｙの両方において平坦である。ここで、前後方向Ｘは、載置面２５に沿う所定方向であり、前側Ｘ１は、当該所定方向における一方側であり、後側Ｘ２は、当該所定方向において当該一方側とは反対の他方側である。額縁状の載置面２５に囲まれた領域が、本体部１２の内部空間１２Ａにおける上端領域である。
【００４１】
左側上壁２１の右端縁および右側上壁２２の左端縁のそれぞれには、落下防止部材２６が一体的に設けられる。つまり、本体部１２には、左右一対の落下防止部材２６が設けられる。各落下防止部材２６は、載置面２５から上側Ｚ１へ突出し、左側上壁２１および右側上壁２２のそれぞれの前後方向Ｘにおける全域に亘って前後方向Ｘに延びる縦壁である。落下防止部材２６の役割については、以降で述べる。
【００４２】
後側上壁２０における載置面２５において、左右方向Ｙの両端部のそれぞれには、ランドリー機器１１の後側部分を位置決めするための第１位置決め部２７が１つずつ設けられる。左右一対の第１位置決め部２７は、溶接などによって本体部１２に一体化された状態にある。左側Ｙ１の第１位置決め部２７を参照して、各第１位置決め部２７は、載置面２５から上側Ｚ１へ突出する左リブ２８、右リブ２９および後リブ３０と、カバー部３１とを一体的に含む。
【００４３】
左リブ２８および右リブ２９は、左右方向Ｙに薄く、左右方向Ｙから見て前後方向Ｘに長手の長方形状の小片であり、左右方向Ｙに間隔を隔てて対向配置される。後リブ３０は、前後方向Ｘに薄く、前後方向Ｘから見て左右方向Ｙに長手の長方形状の小片であり、左リブ２８および右リブ２９の後端縁間に架設される。
【００４４】
各第１位置決め部２７は、左リブ２８および右リブ２９の前端縁によって区画された入口３２と、一体化された左リブ２８、右リブ２９および後リブ３０によって区画された収容空間３３とを有する。入口３２は、左右方向Ｙに長手の長方形状の開口であって、前側Ｘ１を臨む。左側Ｙ１の第１位置決め部２７の入口３２が臨む先には、左側上壁２１における載置面２５が位置し、右側Ｙ２の第１位置決め部２７の入口３２が臨む先には、右側上壁２２における載置面２５が位置する。収容空間３３は、上下方向Ｚに扁平な直方体状の空間であって、後側Ｘ２へ向けて入口３２から窪む。
【００４５】
カバー部３１は、上下方向Ｚに薄い板状であって、その前端縁を後側Ｘ２に切り欠く略Ｕ字状の凹部３４が形成されることによって、上側Ｚ１から見て略Ｕ字状に形成される。カバー部３１の前端縁において左右方向Ｙにおける凹部３４の両側の部分は、凹部３４に近づくのに従って前後方向Ｘおよび左右方向Ｙの両方に傾斜する傾斜部３５をなす。カバー部３１は、左リブ２８、右リブ２９および後リブ３０のそれぞれの上端縁に接続されることで第１位置決め部２７の一部となり、収容空間３３を上側Ｚ１から覆う。
【００４６】
図２には図示されないが、前側上壁１９における載置面２５において、左右方向Ｙの両端部のそれぞれには、左右一対の貫通孔５５と、左右一対の貫通孔５５よりも前側Ｘ１に位置する左右一対のねじ孔５６とが形成される（後述ずる図４（ａ）参照）。各貫通孔５５は、平面視で四角形状をなし、前側上壁１９を上下方向Ｚに貫通する。各ねじ孔５６は、平面視で円形状をなし、前側上壁１９を上下方向Ｚに貫通する。各ねじ孔５６の内周面には、螺旋状のねじ部（図示せず）が形成される。
【００４７】
図３は、実際には隠れて見えない部分を破線で示した架台１０の斜視図である。図３を参照して、本体部１２は、本体部１２における下側Ｚ２の構成として、前側下壁３６と、後側下壁３７と、左側下壁３８と、右側下壁３９とを一体的に含む。
【００４８】
前側下壁３６は、上下方向Ｚに薄く左右方向Ｙに細長い帯状であり、前壁１５の下端縁の左右方向Ｙにおける両端部の間の領域から略直角に折れ曲がって後側Ｘ２へ延びる。
【００４９】
前側下壁３６の後端縁には、前側縦壁４０が一体的に設けられる。前側縦壁４０は、前後方向Ｘに薄く左右方向Ｙに細長い帯状であって、前側下壁３６の後端縁の左右方向Ｙにおける全域から略直角に折れ曲がって上側Ｚ１へ延びる。前側縦壁４０の前面の左右方向Ｙにおける両端部には、ナット４１が、そのねじ孔（図示せず）を前後方向Ｘに向けて、溶接などによって１つずつ固定される。当該両端部には、前側縦壁４０を前後方向Ｘに貫通してナット４１のねじ孔に後側Ｘ２から連通する円形状の貫通孔（図示せず）が１つずつ形成される。
【００５０】
後側下壁３７は、上下方向Ｚに薄く左右方向Ｙに細長い帯状であり、後壁１６の下端縁の左右方向Ｙにおける両端部の間の領域から略直角に折れ曲がって前側Ｘ１へ延びる。
【００５１】
後側下壁３７の前端縁には、後側縦壁４２が一体的に設けられる。後側縦壁４２は、前後方向Ｘに薄く左右方向Ｙに細長い帯状であって、後側下壁３７の前端縁の左右方向Ｙにおける全域から略直角に折れ曲がって上側Ｚ１へ延びる。後側縦壁４２の後面の左右方向Ｙにおける両端部には、ナット４３が、そのねじ孔（図示せず）を前後方向Ｘに向けて、溶接などによって１つずつ固定される。当該両端部には、後側縦壁４２を前後方向Ｘに貫通してナット４３のねじ孔に前側Ｘ１から連通する円形状の貫通孔（図示せず）が１つずつ形成される。
【００５２】
後側縦壁４２の上端縁の左右方向Ｙにおける両端部の間の領域には、当該領域から略直角に折れ曲がって後側Ｘ２へ延びるフランジ部４４が設けられる。なお、フランジ部４４は、前側縦壁４０の上端縁に設けられてもよい。
【００５３】
左側下壁３８は、上下方向Ｚに薄く前後方向Ｘに細長い帯状であり、左壁１７の下端縁の前後方向Ｘにおける全域から略直角に折れ曲がって右側Ｙ２へ延びる。左側下壁３８の上面の前後方向Ｘにおける両端部には、ナット４５が、そのねじ孔（図示せず）を上下方向Ｚに向けて、溶接などによって１つずつ固定される。当該両端部には、左側下壁３８を上下方向Ｚに貫通してナット４５のねじ孔に下側Ｚ２から連通する円形状の貫通孔（図示せず）が１つずつ形成される。
【００５４】
左側下壁３８の右端縁には、左側縦壁４６が一体的に設けられる。左側縦壁４６は、左右方向Ｙに薄く前後方向Ｘに細長い帯状であって、左側下壁３８の右端縁の前後方向Ｘにおける全域から略直角に折れ曲がって上側Ｚ１へ延びる。左側縦壁４６は、前壁１５および後壁１６の左端部間に架設される。これにより、本体部１２の補強が図られる。
【００５５】
左側縦壁４６の前端部において左側縦壁４６の前端縁よりも後側Ｘ２には、前側縦壁４０の左端縁が右側Ｙ２から接続され、左側縦壁４６の後端部において左側縦壁４６の後端縁よりも前側Ｘ１には、後側縦壁４２の左端縁が右側Ｙ２から接続される。左側縦壁４６の左面において前側縦壁４０および後側縦壁４２に挟まれた部分の前後方向Ｘにおける両端部には、ナット４７が、そのねじ孔（図示せず）を左右方向Ｙに向けて、溶接などによって１つずつ固定される。当該両端部には、左側縦壁４６を左右方向Ｙに貫通してナット４７のねじ孔に右側Ｙ２から連通する円形状の貫通孔（図示せず）が１つずつ形成される。
【００５６】
右側下壁３９は、上下方向Ｚに薄く前後方向Ｘに細長い帯状であり、右壁１８の下端縁の前後方向Ｘにおける全域から略直角に折れ曲がって左側Ｙ１へ延びる。右側下壁３９の上面の前後方向Ｘにおける両端部には、ナット４８が、そのねじ孔（図示せず）を上下方向Ｚに向けて、溶接などによって１つずつ固定される。当該両端部には、右側下壁３９を上下方向Ｚに貫通してナット４８のねじ孔に下側Ｚ２から連通する円形状の貫通孔（図示せず）が１つずつ形成される。
【００５７】
右側下壁３９の左端縁には、右側縦壁４９が一体的に設けられる。右側縦壁４９は、左右方向Ｙに薄く前後方向Ｘに細長い帯状であって、右側下壁３９の左端縁の前後方向Ｘにおける全域から略直角に折れ曲がって上側Ｚ１へ延びる。右側縦壁４９は、前壁１５および後壁１６の右端部間に架設される。これにより、本体部１２の補強が図られる。
【００５８】
右側縦壁４９の前端部において右側縦壁４９の前端縁よりも後側Ｘ２には、前側縦壁４０の右端縁が左側Ｙ１から接続され、右側縦壁４９の後端部において右側縦壁４９の後端縁よりも前側Ｘ１には、後側縦壁４２の右端縁が左側Ｙ１から接続される。右側縦壁４９の右面において前側縦壁４０および後側縦壁４２に挟まれた部分の前後方向Ｘにおける両端部には、ナット５０が、そのねじ孔（図示せず）を左右方向Ｙに向けて、溶接などによって１つずつ固定される。当該両端部には、右側縦壁４９を左右方向Ｙに貫通してナット５０のねじ孔に左側Ｙ１から連通する円形状の貫通孔（図示せず）が１つずつ形成される。
【００５９】
左側下壁３８および右側下壁３９のそれぞれの下面は、前側下壁３６および後側下壁３７のそれぞれの下面に対して、面一の状態で連続する。前側下壁３６、後側下壁３７、左側下壁３８および右側下壁３９のそれぞれの下面は、一体となって本体部１２における額縁状の底面５１をなす。底面５１は、本体部１２がセットされる床面Ｓに対して上側Ｚ１から対向する。
【００６０】
アンカー部材１３は、４つ存在する。アンカー部材１３は、前側縦壁４０と左側縦壁４６との接続部分、前側縦壁４０と右側縦壁４９との接続部分、後側縦壁４２と左側縦壁４６との接続部分、後側縦壁４２と右側縦壁４９との接続部分という４つの接続部分のそれぞれに１つずつ配置される。これら４つの接続部分は、本体部１２における額縁状の底面５１における内側の四隅である。額縁状の底面５１に囲まれた領域が、本体部１２の内部空間１２Ａにおける下端領域である。
【００６１】
そのため、これら４つの接続部分に配置されるアンカー部材１３は、本体部１２の内部空間１２Ａに配置される。よって、アンカー部材１３は、平面視において本体部１２の外に出っ張らないので、架台１０の外形をコンパクトにできるとともに、外観に自由度を持たせることもできる。
【００６２】
図３において後側縦壁４２と右側縦壁４９との接続部分に配置されて実線で示されたアンカー部材１３を参照して、個々のアンカー部材１３は、上側Ｚ１から見て略矩形状に形成されて上下方向Ｚに薄い底板６１と、底板６１の４辺のうち隣り合う２辺から上側Ｚ１へ立ち上がる２枚の縦板６２とを一体的に含む。底板６１および縦板６２における角の部分は、必要に応じて丸められてもよい。
【００６３】
底板６１は、本体部１２の底面５１よりも下側Ｚ２にはみ出て配置される。底板６１の下面および上面は、前後方向Ｘおよび左右方向Ｙに沿う平坦面である。底板６１の上面には、底板６１と平行であって平面視で底板６１より一回り小さい矩形状の小板６３が一体的に設けられる。平面視における小板６３の中心位置には、小板６３および底板６１の両方を上下方向Ｚに貫通する円形状の挿通孔６４が１つ形成される。
【００６４】
個々のアンカー部材１３における２枚の縦板６２は、底板６１に直交するとともに、平面視で互いに非接触で直交して配置される。それぞれの縦板６２には、縦板６２の板厚方向に縦板６２を貫通する上下方向Ｚに長い長孔６５が１つずつ形成される。
【００６５】
個々のアンカー部材１３は、架台１０の構成部品である２本のボルト６６によって本体部１２に取り付けられる。
【００６６】
具体的に、後側縦壁４２と右側縦壁４９との接続部分に配置されたアンカー部材１３では、一方の縦板６２が後側縦壁４２に前側Ｘ１から沿い、他方の縦板６２が右側縦壁４９に左側Ｙ１から沿った状態にある。当該一方の縦板６２に長孔６５に対して、１本のボルト６６の軸部が前側Ｘ１から挿通され、後側縦壁４２の右側Ｙ２における前述した貫通孔（図示せず）を通って、この貫通孔の後側Ｘ２のナット４３のねじ孔にねじ付けられる。そして、当該他方の縦板６２に長孔６５に対して、１本のボルト６６の軸部が左側Ｙ１から挿通され、右側縦壁４９の後側Ｘ２における前述した貫通孔（図示せず）を通って、この貫通孔の右側Ｙ２のナット５０のねじ孔にねじ付けられる。
【００６７】
各ボルト６６は、ナット４３や５０にねじ付けられることで、上下方向Ｚにおいて位置決めされた状態にある一方で、縦板６２の長孔６５に対して上下方向Ｚに遊びを持って挿通された状態にある。そのため、各ボルト６６が緩んだ状態では、各縦板６２をボルト６６に対して上下方向Ｚに相対移動させることで、アンカー部材１３は、その底板６１が床面Ｓに対して接近したり離間したりできるように高さ調整可能である。
【００６８】
アンカー部材１３の高さ調整が完了してから、各ボルト６６を締めると、ボルト６６の頭部と、このボルト６６がねじ付けられたナット４３や５０との間で、後側縦壁４２および右側縦壁４９のそれぞれと、対応する縦板６２とが強固に挟まれるので、アンカー部材１３が本体部１２に対して相対移動不能に固定される。この状態では、アンカー部材１３は、本体部１２に対して、上下方向Ｚを含むいずれの方向にも相対移動することができない。
【００６９】
後側縦壁４２と左側縦壁４６との接続部分に配置されたアンカー部材１３では、一方の縦板６２が後側縦壁４２に後側Ｘ２から沿い、他方の縦板６２が左側縦壁４６に右側Ｙ２から沿った状態にある。当該一方の縦板６２に長孔６５に対して、１本のボルト６６の軸部が前側Ｘ１から挿通され、後側縦壁４２における左側Ｙ１のナット４３のねじ孔にねじ付けられる。そして、当該他方の縦板６２に長孔６５に対して、１本のボルト６６の軸部が右側Ｙ２から挿通され、左側縦壁４６における後側Ｘ２のナット４７のねじ孔にねじ付けられる。このアンカー部材１３も、後側縦壁４２と右側縦壁４９との接続部分に配置されたアンカー部材１３と同様に、各ボルト６６が緩んだ状態で高さ調整可能であるとともに、各ボルト６６を締めることで本体部１２に対して相対移動不能に固定される。
【００７０】
前側縦壁４０と左側縦壁４６との接続部分に配置されたアンカー部材１３では、一方の縦板６２が前側縦壁４０に後側Ｘ２から沿い、他方の縦板６２が左側縦壁４６に右側Ｙ２から沿った状態にある。当該一方の縦板６２に長孔６５に対して、１本のボルト６６の軸部が後側Ｘ２から挿通され、前側縦壁４０における左側Ｙ１のナット４１のねじ孔にねじ付けられる。そして、当該他方の縦板６２に長孔６５に対して、１本のボルト６６の軸部が右側Ｙ２から挿通され、左側縦壁４６における前側Ｘ１のナット４７のねじ孔にねじ付けられる。このアンカー部材１３も、後側縦壁４２と右側縦壁４９との接続部分に配置されたアンカー部材１３と同様に、各ボルト６６が緩んだ状態で高さ調整可能であるとともに、各ボルト６６を締めることで本体部１２に対して相対移動不能に固定される。
【００７１】
前側縦壁４０と右側縦壁４９との接続部分に配置されたアンカー部材１３では、一方の縦板６２が前側縦壁４０に後側Ｘ２から沿い、他方の縦板６２が右側縦壁４９に左側Ｙ１から沿った状態にある。当該一方の縦板６２に長孔６５に対して、１本のボルト６６の軸部が後側Ｘ２から挿通され、前側縦壁４０における右側Ｙ２のナット４１のねじ孔にねじ付けられる。そして、当該他方の縦板６２に長孔６５に対して、１本のボルト６６の軸部が左側Ｙ１から挿通され、右側縦壁４９における前側Ｘ１のナット５０のねじ孔にねじ付けられる。このアンカー部材１３も、他の全てのアンカー部材１３と同様に、各ボルト６６が緩んだ状態で高さ調整可能であるとともに、各ボルト６６を締めることで本体部１２に対して相対移動不能に固定される。
【００７２】
このように、前述した４つの接続部分に１つずつ配置された４つのアンカー部材１３では、それぞれのアンカー部材１３が独立して高さ調整可能であり、独立して本体部１２に対して相対移動不能に固定される。
【００７３】
調整脚１４は、４つ存在し、本体部１２における額縁状の底面５１の四隅に１つずつ設けられる。個々の調整脚１４は、その下端部として上側Ｚ１へ向けて細くなる略円錐状のベース部７０と、ベース部７０の上端から上側Ｚ１へ延び、外周面に螺旋状のねじ部が形成された軸部７１と、軸部７１の下端に固定された固定ナット７２と、固定ナット７２よりも上側Ｚ１で軸部７１にねじ付けられた可動ナット７３とを含む（後述する図４（ｃ）も参照）。調整脚１４では、ベース部７０と軸部７１と固定ナット７２とが一体化された状態にある一方で、可動ナット７３は、レンチなどの工具でねじって締めたり緩めたりすることによって、軸部７１上での上下方向Ｚの位置をずらすことできる。
【００７４】
４つの調整脚１４における２つの調整脚１４は、左側下壁３８の前後方向Ｘにおける両端部に対して１つずつ組み付けられる。具体的には、調整脚１４の軸部７１は、当該両端部における前述した貫通孔（図示せず）に対して下側Ｚ２から挿通され、この貫通孔の上側Ｚ１にあるナット４５のねじ孔にねじ付けられる。
【００７５】
４つの調整脚１４における残り２つの調整脚１４は、右側下壁３９の前後方向Ｘにおける両端部に対して１つずつ組み付けられる。具体的には、調整脚１４の軸部７１は、当該両端部における前述した貫通孔（図示せず）に対して下側Ｚ２から挿通され、この貫通孔の上側Ｚ１にあるナット４８のねじ孔にねじ付けられる。
【００７６】
このようにして本体部１２の底面５１に取り付けられた４つの調整脚１４では、ベース部７０と、軸部７１の下側部分と、固定ナット７２と、可動ナット７３とが底面５１よりも下側Ｚ２に位置し、ベース部７０が床面Ｓに上側Ｚ１から当接する。つまり、各調整脚１４は、底面５１から下側Ｚ２に突出して床面Ｓに上側Ｚ１から当接するように設けられる。レンチなどの工具で固定ナット７２をねじって締めたり緩めたりすることによって調整脚１４全体がねじられると、軸部７１と本体部１２側のナット４５や４８との連結位置が変化する。これにより、底面５１から床面Ｓへの個々の調整脚１４の突出量を個別に調整可能である。
【００７７】
図４（ａ）は、架台１０の平面図であり、図４（ｂ）は、図４（ａ）のＢ−Ｂ矢視断面図であり、図４（ｃ）は、図４（ｂ）において破線の円で囲んだ部分の拡大図である。なお、図４（ｃ）では、説明の便宜上、本体部１２のナット４８と調整脚１４の軸部７１と
が破線で図示される。
【００７８】
図４では、架台１０が設置される床面Ｓを上面とする土台Ｄが図示される。土台Ｄは、たとえばコンクリート製である。以下では、床面Ｓが水平方向Ｈに対して若干傾いて水平でないことを前提として説明を行う。また、土台Ｄには、架台１０のアンカー部材１３と同数の４本のアンカーボルト７５が埋め込まれ、図４（ｃ）に示すように、各アンカーボルト７５の上端部が床面Ｓから上側Ｚ１にはみ出した状態にある。４本のアンカーボルト７５の上端部は、平面視において、仮想の四角形の頂点をなすように配置される。そのため、平面視において、４本のアンカーボルトのレイアウトと、４つのアンカー部材１３のレイアウトとは一致する。
【００７９】
以下では、架台１０の設置方法について説明する。
まず、架台１０を、全ての調整脚１４のベース部７０が床面Ｓに上側Ｚ１から当接するように、床面Ｓにセットする。この際、床面Ｓからはみ出した４本のアンカーボルト７５の上端部を、図４（ｃ）に示すように、架台１０の４つのアンカー部材１３における底板６１および小板６３の挿通孔６４に対して下側Ｚ２から１つずつ挿通させ、挿通孔６４よりも上側Ｚ１にはみ出させる。
【００８０】
次に、各調整脚１４の床面Ｓへの突出量を調整することによって本体部１２の載置面２５の水平度を調整する。これにより、載置面２５が、水平方向Ｈに沿った平坦面となる（図４（ｂ）参照）。そのため、後述するように載置面２５に載せられるランドリー機器１１の傾きを防止できる。
【００８１】
そして、各アンカー部材１３を床面Ｓに接近するように高さ調整する。詳しくは、各アンカー部材１３における２本のボルト６６を緩めて、各アンカー部材１３を個別に上下させ、アンカー部材１３の底板６１の下面を床面Ｓに対して上側Ｚ１から面接触させる。底板６１の下面が床面Ｓに面接触した状態で、ボルト６６を締めてアンカー部材１３を本体部１２に固定すると、アンカー部材１３の高さ調整が完了する。
【００８２】
全てのアンカー部材１３での高さ調整の後に、各アンカー部材１３において、底板６１および小板６３の挿通孔６４から上側Ｚ１にはみ出したアンカーボルト７５の上端部に対して、上側Ｚ１からナット７６をねじ付ける。ナット７６を目一杯ねじ込むと、各アンカー部材１３では、底板６１および小板６３が床面Ｓへ向けて押し付けられる。これにより、アンカー部材１３が床面Ｓに対して下側Ｚ２へ引き寄せられるように固定される。
【００８３】
その結果、架台１０全体が床面Ｓに相対移動不能に固定される。これにより、架台１０ががたついたり、架台１０の位置が上下前後左右にずれたりしなくなる。また、固定されてリジットの状態となった架台１０には、ランドリー機器１１の振動が伝達されにくくなるし、固定された架台１０がランドリー機器１１の振動自体を減衰できる。
【００８４】
アンカー部材１３が床面Ｓに固定された状態において、最後に、各調整脚１４において、可動ナット７３をレンチなどの工具でねじって締めることによって、可動ナット７３だけを上側Ｚ１へ移動させる。そして、可動ナット７３が本体部１２の底面５１に下側Ｚ２から接触してから、可動ナット７３をさらにねじって増し締めすると、調整脚１４のベース部７０が下側Ｚ２へ押しつけられることによって、各調整脚１４が床面Ｓに対して突っ張る。以上により、架台１０の設置が完了する。
【００８５】
なお、可動ナット７３を増し締めして調整脚１４を床面Ｓに対して突っ張らせることによって、調整脚１４の軸部７１と本体部１２のナット４５および４８（図３参照）との間における緩みを防止できる。
【００８６】
ここで、床面Ｓに固定されたアンカー部材１３が下側Ｚ２へ引き寄せられた状態にあるので、架台１０には下向きのテンションＴ１が作用する。一方、アンカー部材１３が床面Ｓに固定された状態において、調整脚１４が床面Ｓに対して突っ張るので、架台１０には、床面Ｓからの反力に応じた上向きのテンションＴ２も作用する。これらの下向きのテンションＴ１および上向きのテンションＴ２は、ランドリー機器１１から架台１０に伝達される振動を減衰させる。詳しくは、ランドリー機器１１から架台１０に振動が伝達されても、これらの逆向きの２つのテンションＴ１およびＴ２が互いに釣り合った状態を維持しようとするために、入力された振動を速やかに減衰するものと思われる。
【００８７】
以上により、ランドリー機器１１の運転中におけるランドリー機器１１および架台１０の全体での振動を低減し、ランドリー機器１１の運転中における架台１０の状態を、ランドリー機器１１が載ってないときの状態に近づけることができる。
【００８８】
図５は、ランドリー機器１１の設置を説明するための架台１０の斜視図である。
図５を参照して、架台１０は、本体部１２の載置面２５に取り付けられる第２位置決め部８０をさらに含む。第２位置決め部８０は、ランドリー機器１１を位置決めするための部品であり、左右一対をなすよう２つ存在する。
【００８９】
図５における左側Ｙ１の第２位置決め部８０を参照して、各第２位置決め部８０は、上下方向Ｚに延びる左リブ８１、右リブ８２および前リブ８３と、カバー部８４と、左フランジ８５と、右フランジ８６とを一体的に含む。
【００９０】
左リブ８１および右リブ８２は、左右方向Ｙに薄く、左右方向Ｙから見て前後方向Ｘに長手の長方形状の小片であり、左右方向Ｙに間隔を隔てて対向配置される。前リブ８３は、前後方向Ｘに薄く、前後方向Ｘから見て左右方向Ｙに長手の長方形状の小片状であり、左リブ８１および右リブ８２の前端縁間に架設される。
【００９１】
各第２位置決め部８０は、左リブ８１および右リブ８２の後端縁によって区画された入口８７と、一体化された左リブ８１、右リブ８２および前リブ８３によって区画された収容空間８８とを有する。入口８７は、左右方向Ｙに長手の長方形状の開口であって、後側Ｘ２を臨む。収容空間８８は、上下方向Ｚに扁平な直方体状の空間であって、前側Ｘ１へ向けて入口８７から窪む。
【００９２】
カバー部８４は、上下方向Ｚに薄い板状であって、その後端縁を前側Ｘ１に切り欠く略Ｕ字状の凹部８９が形成されることによって、上側Ｚ１から見て略Ｕ字状に形成される。カバー部８４は、左リブ８１、右リブ８２および前リブ８３のそれぞれの上端縁に接続され、収容空間８８を上側Ｚ１から覆う。一方、第２位置決め部８０が単独で存在する状態において、収容空間８８は、下側Ｚ２から塞がれないので、収容空間８８の全体は、入口８７から後側Ｘ２へ開放されるとともに、下側Ｚ２へも開放される。
【００９３】
左フランジ８５および右フランジ８６は、上下方向Ｚに薄く、上下方向Ｚから見て前後方向Ｘに長手の長方形状をなす板状である。左フランジ８５は、左リブ８１の下端縁から左側Ｙ１に延び、左フランジ８５の前端部は、左リブ８１よりも前側Ｘ１にはみ出して配置される。右フランジ８６は、右リブ８２の下端縁から右側Ｙ２に延び、右フランジ８６の前端部は、右リブ８２よりも前側Ｘ１にはみ出して配置される。
【００９４】
左フランジ８５および右フランジ８６のそれぞれの前端部には、各フランジを上下方向Ｚに貫通する円形状の挿通孔９０が１つずつ形成される。左フランジ８５および右フランジ８６のそれぞれの後端縁には、当該後端縁から下側Ｚ２へ延びた後に略直角に折れ曲がって後側Ｘ２へ突出する爪９１が１つずつ設けられる。平面視において、各爪９１は、本体部１２の載置面２５の前端部における各貫通孔５５よりも小さい。
【００９５】
以下では、図５を参照して、床面Ｓへの設置後の架台１０へのランドリー機器１１の設置方法について説明する。図５では、ランドリー機器１１における略矩形の底面の四隅から下側Ｚ２へ突出する４本の脚９５が、設置完了後の状態では実線で図示され、設置途中の状態では破線で図示される。４本の脚９５は、ランドリー機器１１の底面に固定された状態にあるので、４本の脚９５の相対位置は、一定である。
【００９６】
各脚９５は、その下端をなす上下方向Ｚに扁平な略円盤状のベース部９６と、平面視におけるベース部９６の中央から上側Ｚ１に突出する軸部９７とを一体的に含む。ベース部９６は、たとえば樹脂製であり、軸部９７は、たとえば金属製である。
【００９７】
架台１０にランドリー機器１１を設置する際、まず、ランドリー機器１１の脚９５を、図５において破線で示すように、架台１０の本体部１２の載置面２５における適当な位置に上側Ｚ１から載せる。このとき、４本の脚９５において、少なくとも後側Ｘ２の２本の脚９５のベース部９６を載置面２５にはみ出ないように載せればよく、残りの前側Ｘ１の２本の脚９５のベース部９６は、載置面２５からはみ出てもよい。
【００９８】
４本の脚９５の全てが載置面２５に載れば、作業者は、ランドリー機器１１から一旦手を放すことができる。しかし、少なくとも後側Ｘ２の２本の脚９５が載置面２５に載れば、前側Ｘ１の２本の脚９５が載置面２５から外れた状態にあっても、作業者は軽い力でランドリー機器１１を支えることができる。
【００９９】
後側Ｘ２の２本の脚９５のうち、左側Ｙ１の脚９５は、本体部１２の左側上壁２１の後端部における載置面２５に載って、左側Ｙ１の第１位置決め部２７の入口３２の前側Ｘ１に位置した状態にある。後側Ｘ２の２本の脚９５のうち、右側Ｙ２の脚９５は、本体部１２の右側上壁２２の後端部における載置面２５に載って、右側Ｙ２の第１位置決め部２７の入口３２の前側Ｘ１に位置した状態にある。
【０１００】
次に、ランドリー機器１１における前側Ｘ１の部分を持ち上げながら後側Ｘ２へ押すことによって、各脚９５を、ランドリー機器１１の設置のために載置面２５上で後側Ｘ２へ滑らせる。脚９５が滑る際に、左側Ｙ１の脚９５が右側Ｙ２へずれても、その先に左側Ｙ１の落下防止部材２６があるので、載置面２５上を滑らされる左右の脚９５が載置面２５から右側Ｙ２へ落下することが落下防止部材２６によって防止される。一方、脚９５が滑る際に、右側Ｙ２の脚９５が左側Ｙ１へずれても、その先に右側Ｙ２の落下防止部材２６があるので、載置面２５上を滑らされる左右の脚９５が載置面２５から左側Ｙ１へ落下することが落下防止部材２６によって防止される。よって、架台１０への設置中におけるランドリー機器１１の落下を防止できる。なお、落下防止部材２６は、架台１０への設置のために後側Ｘ２へ移動するランドリー機器１１をガイドする機能も兼ねる。
【０１０１】
そして、各脚９５を引き続き滑らせることにより、後側Ｘ２の２本の脚９５において、ベース部９６を、実線で示すように、左右方向Ｙで同じ側にある第１位置決め部２７の入口３２から収容空間３３内に挿入し、軸部９７を、第１位置決め部２７のカバー部３１の凹部３４内に挿入する。軸部９７は、左右方向Ｙに位置がずれた場合には、カバー部３１において凹部３４の左右両側の傾斜部３５に導かれることによって、凹部３４内に挿入される。
【０１０２】
収容空間３３は、後側Ｘ２へ向けて入口３２から窪んだ形状であって、後リブ３０によって後側Ｘ２から塞がれた状態にあるので、ベース部９６が入口３２から収容空間３３内に受け入れられると、後側Ｘ２の２本の脚９５は、後側Ｘ２へそれ以上移動できないし、左右方向Ｙへも移動できない。これにより、後側Ｘ２の２本の脚９５が、対応する第１位置決め部２７によって前後方向Ｘおよび左右方向Ｙにおいて位置決めされる。
【０１０３】
また、後側Ｘ２の２本の脚９５が第１位置決め部２７によって位置決めされたとき、前側Ｘ１の２本の脚９５のうち、左側の脚９５のベース部９６は、実線で示すように、前側上壁１９の左端部における載置面２５において、左右一対の貫通孔５５の間に位置した状態にある。また、前側Ｘ１の２本の脚９５における右側の脚９５のベース部９６は、実線で示すように、前側上壁１９の右端部における載置面２５において、左右一対の貫通孔５５の間に位置した状態にある。
【０１０４】
最後に、左右一対の第２位置決め部８０を、載置面２５において各第１位置決め部２７から前側Ｘ１へ離れた位置に取り付ける。具体的には、前側上壁１９の左右の両端部における載置面２５に、第２位置決め部８０を１つずつ上側Ｚ１から載せる。このとき、各第２位置決め部８０は、当該両端部に位置する前側Ｘ１の２本の脚９５のベース部９６を上側Ｚ１から覆うように配置される。これにより、前側Ｘ１の２本の脚９５のそれぞれにおいて、ベース部９６は、第２位置決め部８０の収容空間８８に部分的に収容され、軸部９７は、カバー部８４の凹部８９に後側Ｘ２から差し込まれた状態になる。
【０１０５】
また、第２位置決め部８０を載置面２５に載せただけの状態では、前側上壁１９の左右の両端部のそれぞれにおいて、第２位置決め部８０では、左右一対の爪９１が、載置面２５における左右一対の貫通孔５５に対して上側Ｚ１から１つずつ嵌まり込み、左右一対の挿通孔９０が、載置面２５における左右一対のねじ孔５６から前側Ｘ１にずれた状態にある。そこで、各第２位置決め部８０を後側Ｘ２へ少しずらすと、左右一対の爪９１が貫通孔５５に嵌まり込んだままの状態で後側Ｘ２へずれることにより貫通孔５５から外れ不能になり、左右一対の挿通孔９０が、平面視で左右一対のねじ孔５６と１つずつ一致する。この状態で、左右一対の挿通孔９０に対して上側Ｚ１からボルト９８を１本ずつ挿入して、本体部１２側のねじ孔５６にねじ付けると、各第２位置決め部８０が本体部１２に固定される。なお、ボルト９８は、架台１０を構成する部品である。
【０１０６】
図６（ａ）は、架台１０および架台１０に設置されたランドリー機器１１の斜視図であり、図６（ｂ）は、図６（ａ）において破線の円で囲んだ部分の拡大図であり、図６（ｃ）は、図６（ａ）において１点鎖線の円で囲んだ部分を拡大して別の方向から見た図である。
【０１０７】
以上のように第２位置決め部８０を載置面２５に取り付けると、前側Ｘ１の２本の脚９５のベース部９６は、図６（ｃ）に示すように、第２位置決め部８０の収容空間８８に完全に収容された状態となる。収容空間８８に収容されたベース部９６は、後側Ｘ２へ開放された入口８７だけから収容空間８８の外に出ることができる。一方、第１位置決め部２７によって位置決めされた後側Ｘ２の２本の脚９５が後側Ｘ２へ移動できない状態にあって（図６（ｂ）参照）、４本全ての脚９５の相対位置が一定であるので、前側Ｘ１の２本の脚９５のベース部９６は、第２位置決め部８０の入口８７から前側Ｘ１へ出ることができない。そのため、ランドリー機器１１において第１位置決め部２７によって位置決めされる脚９５以外の脚９５は、第２位置決め部８０によって前後方向Ｘおよび左右方向Ｙの両方において位置決めされた状態となる。
【０１０８】
以上で、架台１０へのランドリー機器１１の設置が完了する。設置が完了したランドリー機器１１では、全ての脚９５が、第１位置決め部２７や第２位置決め部８０によって位置決めされて、前後方向Ｘおよび左右方向Ｙに移動できなくなるので、ランドリー機器１１全体が架台１０に対して前後方向Ｘおよび左右方向Ｙのいずれにも相対移動不能に設置された状態となる。
【０１０９】
以上のように、設置を行う作業者は、ランドリー機器１１を持ち上げた状態を維持しなくても、ランドリー機器１１の脚９５を載置面２５の適当な位置に一旦載せてから載置面２５上で滑らせて第１位置決め部２７によって位置決めし、その後に第２位置決め部８０を載置面２５に取り付けて他の脚９５を位置決めすることで、少ない負担で、ランドリー機器１１を架台１０に設置することができる。その結果、ランドリー機器１１の設置性の向上を図れる。
【０１１０】
また、図６（ｂ）に示すように、第１位置決め部２７の一部であるカバー部３１が収容空間３３を上側Ｚ１から覆うことから、収容空間３３内の脚９５のベース部９６が収容空間３３から上側Ｚ１へ外れることを防止できるので、脚９５が収容空間３３から上側Ｚ１へ外れることに起因するランドリー機器１１の落下および転倒を防止できる。
【０１１１】
また、第１位置決め部２７のカバー部３１における凹部３４の周縁部は、第１位置決め部２７によって位置決めされた後側Ｘ２の脚９５の軸部９７に対して非接触の状態にある。これにより、ランドリー機器１１の運転中に、脚９５が、カバー部３１に振動しながら接触することによる金属疲労で破損することを防止でき、脚９５の振動がカバー部３１を介して架台１０に伝達されることも防止できる。また、収容空間３３内において、脚９５のベース部９６は若干の遊びを持って収容されるので、ランドリー機器１１の運転中に脚９５から架台１０に過度に振動が伝達されることを防止できる。このために、ベース部９６も、軸部９７と同様に、第１位置決め部２７に対して非接触であることが好ましい。
【０１１２】
第１位置決め部２７と同様に、図６（ｃ）に示すように、第２位置決め部８０のカバー部８４が収容空間８８を上側Ｚ１から覆うことから、収容空間８８内の脚９５のベース部９６が収容空間８８から上側Ｚ１へ外れることを防止できるので、脚９５が収容空間８８から上側Ｚ１へ外れることに起因するランドリー機器１１の落下および転倒も防止できる。
【０１１３】
また、第２位置決め部８０によって位置決めされた前側Ｘ１の２本の脚９５において、軸部９７は、カバー部８４における凹部８９の周縁部に対して非接触の状態にある。これにより、ランドリー機器１１の運転中に、脚９５が、カバー部８４に振動しながら接触することによる金属疲労で破損することを防止でき、脚９５の振動がカバー部８４を介して架台１０に伝達されることも防止できる。また、収容空間８８内において、脚９５のベース部９６は若干の遊びを持って収容されるので、ランドリー機器１１の運転中に脚９５から架台１０に過度に振動が伝達されることを防止できる。このために、ベース部９６も、軸部９７と同様に、第２位置決め部８０に対して非接触であることが好ましい。
【０１１４】
この発明は、以上に説明した実施形態に限定されるものではなく、請求項記載の範囲内において種々の変更が可能である。
【０１１５】
たとえば、ランドリー機器１１の各脚９５が、下側Ｚ２への突出量を調整可能であって、各脚９５の突出量を調整することで、架台１０上におけるランドリー機器１１の水平度を調整できてもよい。
【０１１６】
また、ランドリー機器１１の脚９５は、全部で４本とし、後側Ｘ２の２本の脚９５を第１位置決め部２７によって位置決めし、前側Ｘ１の２本の脚９５を第２位置決め部８０によって位置決めしたが、これら前後の脚９５の間や、前側Ｘ１の２本の脚９５の間や、後側Ｘ２の２本の脚９５の間に、別の脚９５が存在してもよい。ランドリー機器１１が架台１０に設置された状態において、当該別の脚９５は、架台１０に対して位置決めされてもよいし、位置決めされずに架台１０の載置面２５に載っただけでもよい。
【０１１７】
また、架台１０において、アンカー部材１３や調整脚１４の数は任意に変更できる。また、第１位置決め部２７および第２位置決め部８０のそれぞれを左右一対としたが、左右方向Ｙにおける片側だけに設ける構成もあり得る。
【０１１８】
また、架台１０の設置状況に応じて、架台１０の前後の向きや左右の向きが、今まで説明した向きとは逆になったり、架台１０の前後の向きと左右の向きとが入れ替わったりすることもある。
【符号の説明】
【０１１９】
１０    架台
１１    ランドリー機器
１２    本体部
１２Ａ  内部空間
１３    アンカー部材
１４    調整脚
２５    載置面
２６    落下防止部材
２７    第１位置決め部
３１    カバー部
３２    入口
３３    収容空間
５１    底面
８０    第２位置決め部
９５    脚
Ｓ      床面
Ｘ      前後方向
Ｘ１    前側
Ｘ２    後側
Ｚ１    上側
Ｚ２    下側
【図１】
2015217118.tif 000003
【図２】
2015217118.tif 000004
【図３】
2015217118.tif 000005
【図４】
2015217118.tif 000006
【図５】
2015217118.tif 000007
【図６】
2015217118.tif 000008